(57)【要約】【課題】吸入口が詰まった場合でも、吐水が停止することなく、かつ吸入口の詰まりを容易に解消できる使い勝手の良い浴槽装置を提供する。【解決手段】浴槽内に湯水を吐水するための第１及び第２吐水部と、第１吸入口から第１吐水部に湯水を供給する第１流路と、第２吸入口から第２吐水部に湯水を供給する第２流路と、第１流路の経路上に設けられたポンプと、第１吐水部とポンプとの間において第１流路から分岐した分岐路と、第２流路の経路上に設けられたジェットポンプユニットであって、第２吸入口から供給された湯水を内部に貯水可能な貯水部と、貯水部に貯水された湯水を吸引するための吸引管と、ポンプから供給された湯水を吸引管内に噴射する噴射部と、を有するジェットポンプユニットと、第１流路と第２流路とを常時連通させるバイパス流路と、を備えたことを特徴とする浴槽装置である。【選択図】図１
2019051131.tif 000002
【特許請求の範囲】
【請求項１】
湯水を貯留する浴槽に設けられる浴槽装置であって、
前記浴槽内に湯水を吐水するための第１及び第２吐水部と、
前記浴槽に設けられた第１吸入口から前記第１吐水部に湯水を供給するための第１流路と、
前記浴槽に設けられた第２吸入口から前記第２吐水部に湯水を供給するための第２流路と、
前記第１流路の経路上に設けられ、前記浴槽内の湯水を前記第１吸入口から吸引し、下流側に供給するポンプと、
前記第１吐水部と前記ポンプとの間において前記第１流路から分岐した分岐路と、
前記第２流路の経路上に設けられるとともに、前記分岐路を介して前記ポンプと接続されたジェットポンプユニットであって、
前記第２吸入口から供給された湯水を内部に貯水可能な貯水部と、
前記貯水部に貯水された湯水を吸引して前記第２吐水部に供給する吸引管と、
前記貯水部に貯水された湯水がジェットポンプ作用によって前記吸引管に吸引されるように、前記ポンプから供給された湯水を前記吸引管内に噴射する噴射部と、
を有するジェットポンプユニットと、
前記ポンプよりも上流側の前記第１流路と、前記ジェットポンプユニットよりも上流側の前記第２流路と、を接続し、前記第１吸入口が詰まった場合に、前記第１吸入口から前記ポンプに供給される湯水の量よりも、前記第２吸入口から前記ポンプに供給される湯水の量の方が多くなるように、前記第１流路と前記第２流路とを常時連通させるバイパス流路と、
を備えたことを特徴とする浴槽装置。
【請求項２】
前記バイパス流路を通過する湯水の圧力損失が、前記第１流路における前記バイパス流路との合流位置より上流側の前記第１流路を通過する湯水の圧力損失よりも大きくなるように、前記第１流路及び前記バイパス流路が構成されたことを特徴とする請求項１記載の浴槽装置。
【請求項３】
前記バイパス流路の最小の流路断面積は、前記第１流路における前記バイパス流路との合流位置より上流側の前記第１流路の最小の流路断面積よりも小さいことを特徴とする請求項２記載の浴槽装置。
【請求項４】
前記バイパス流路を通過する湯水の圧力損失が、前記第２流路における前記バイパス流路との合流位置より上流側の前記第２流路を通過する湯水の圧力損失よりも大きくなるように、前記第２流路及び前記バイパス流路が構成されたことを特徴とする請求項１〜３のいずれか１つに記載の浴槽装置。
【請求項５】
前記バイパス流路の最小の流路断面積は、前記第２流路における前記バイパス流路との合流位置より上流側の前記第２流路の最小の流路断面積よりも小さいことを特徴とする請求項４記載の浴槽装置。
【請求項６】
湯水を貯留する浴槽に設けられる浴槽装置であって、
前記浴槽内に湯水を吐水するための第１及び第２吐水部と、
前記浴槽に設けられた第１吸入口から前記第１吐水部に湯水を供給するための第１流路と、
前記浴槽に設けられた第２吸入口から前記第２吐水部に湯水を供給するための第２流路と、
前記第１流路の経路上に設けられ、前記浴槽内の湯水を前記第１吸入口から吸引し、下流側に供給する第１ポンプと、
前記第２流路の経路上に設けられ、前記浴槽内の湯水を前記第２吸入口から吸引し、下流側に供給する第２ポンプと、
前記第１ポンプよりも上流側の前記第１流路と、前記第２ポンプよりも上流側の前記第２流路と、を接続し、前記第１吸入口が詰まった場合に、前記第１吸入口から前記第１ポンプに供給される湯水の量よりも、前記第２吸入口から前記第１ポンプに供給される湯水の量の方が多くなり、前記第２吸入口が詰まった場合に、前記第２吸入口から前記第２ポンプに供給される湯水の量よりも、前記第１吸入口から前記第２ポンプに供給される湯水の量の方が多くなるように、前記第１流路と前記第２流路とを常時連通させるバイパス流路と、
を備えたことを特徴とする浴槽装置。
【請求項７】
前記第２吸入口は、前記第１吸入口に対して水平方向にずれた位置に設けられていることを特徴とする請求項１〜６のいずれか１つに記載の浴槽装置。
【請求項８】
前記浴槽の内壁面は、入浴者の背中を支持する背もたれ面を有し、
前記第１吸入口及び前記第２吸入口の一方は、前記浴槽の前記背もたれ面を基準とした前後方向の中央よりも後方側に設けられ、
前記第１吸入口及び前記第２吸入口の他方は、前記浴槽の前記背もたれ面を基準とした前後方向の中央よりも前方側に設けられたことを特徴とする請求項７記載の浴槽装置。
【発明の詳細な説明】
【技術分野】
【０００１】
本発明の態様は、一般的に、浴槽装置に関する。
【背景技術】
【０００２】
浴槽に取り付けられ、浴槽の内部に設けられた吸入口から浴槽水を１つのポンプによって汲み上げ、第１吐水部及び第２吐水部から浴槽内に吐水することにより、浴槽水を循環させる浴槽装置が知られている（例えば、特許文献１）。
【０００３】
第１吐水部は、例えば、入浴者の腰に向けて湯水を吐水する。第２吐水部は、例えば、入浴者の肩や首に向けて湯水を吐水する。このように、入浴者の身体に向けて湯水を吐水することにより、例えば、入浴者の身体にマッサージ効果を付与することができ、入浴時のリラクゼーション効果を高めることができる。
【０００４】
このような浴槽装置においては、浴槽水が吸入口から給水路と１つのポンプを経由して共通導水路に導かれ、この共通導水路が第１導水路及び第２導水路に分岐している。第１吐水部は、第１導水部から供給された浴槽水を、入浴者の腰などに向けて噴射する。第２吐水部は、第２導水部から供給された浴槽水を、入浴者の肩や首などに吐水する。
【０００５】
しかしながら、上述したような構成では、吸入口が髪の毛などの異物で詰まった場合に、吐水部からの吐水量が大幅に減少し、吐水が停止してしまう恐れがある。また、共通導水路内の負圧が増大し、異物を取り外すことが困難になってしまう可能性も生じる。
【０００６】
従って、浴槽装置では、吸入口が詰まった場合でも、吐水が停止することなく、かつ吸入口の詰まりを容易に解消できるようにし、使い勝手を向上させることが望まれる。
【先行技術文献】
【特許文献】
【０００７】
【特許文献１】特開２０１６−７３４４号公報
【発明の概要】
【発明が解決しようとする課題】
【０００８】
本発明は、かかる課題の認識に基づいてなされたものであり、吸入口が詰まった場合でも、吐水が停止することなく、かつ吸入口の詰まりを容易に解消できる使い勝手の良い浴槽装置を提供することを目的とする。
【課題を解決するための手段】
【０００９】
第１の発明は、湯水を貯留する浴槽に設けられる浴槽装置であって、前記浴槽内に湯水を吐水するための第１及び第２吐水部と、前記浴槽に設けられた第１吸入口から前記第１吐水部に湯水を供給するための第１流路と、前記浴槽に設けられた第２吸入口から前記第２吐水部に湯水を供給するための第２流路と、前記第１流路の経路上に設けられ、前記浴槽内の湯水を前記第１吸入口から吸引し、下流側に供給するポンプと、前記第１吐水部と前記ポンプとの間において前記第１流路から分岐した分岐路と、前記第２流路の経路上に設けられるとともに、前記分岐路を介して前記ポンプと接続されたジェットポンプユニットであって、前記第２吸入口から供給された湯水を内部に貯水可能な貯水部と、前記貯水部に貯水された湯水を吸引して前記第２吐水部に供給する吸引管と、前記貯水部に貯水された湯水がジェットポンプ作用によって前記吸引管に吸引されるように、前記ポンプから供給された湯水を前記吸引管内に噴射する噴射部と、を有するジェットポンプユニットと、前記ポンプよりも上流側の前記第１流路と、前記ジェットポンプユニットよりも上流側の前記第２流路と、を接続し、前記第１吸入口が詰まった場合に、前記第１吸入口から前記ポンプに供給される湯水の量よりも、前記第２吸入口から前記ポンプに供給される湯水の量の方が多くなるように、前記第１流路と前記第２流路とを常時連通させるバイパス流路と、を備えたことを特徴とする浴槽装置である。
【００１０】
この浴槽装置によれば、第１吸入口に髪の毛やゴミなどの異物が詰まることで、第１吸入口からの吸入流量が減少したとしても、バイパス流路を介して第２流路から第１流路に湯水を供給することができる。また、第２吸入口が詰まった場合にも、分岐路を介して第１流路からジェットポンプユニット及び第２吐水部に湯水を供給することができる。従って、第１吸入口又は第２吸入口が詰まった場合にも、第１流路又は第２流路内の負圧が増大することを抑制し、第１吸入口又は第２吸入口に詰まった異物を取り外し易くすることができる。さらには、第１吸入口又は第２吸入口が詰まった場合においても、ポンプを停止させることなく、第１吐水部及び第２吐水部の少なくとも一方からの吐水を継続することができる。このように、第１吸入口又は第２吸入口が詰まった場合でも、吐水が停止することなく、かつ第１吸入口又は第２吸入口の詰まりを容易に解消できる使い勝手の良い浴槽装置を提供することができる。また、負圧を検知するための負圧検知手段などを設ける必要がなく、装置自体をコンパクトできるとともに、安価な構成とすることもできる。
【００１１】
また、この浴槽装置では、第２流路の経路上に、吐水流量を増幅させるためのジェットポンプユニット（ジェット噴流の周囲の流体を巻き込む現象を利用した流量増幅技術）を設けている。これにより、第１流路及び第２流路のそれぞれの経路上にポンプを設ける場合と比べて、浴槽装置の設置に必要となる浴槽裏のスペース（浴槽と浴室の壁面との間のスペース）を抑制することができる。換言すれば、入浴者が浴槽内に入って入浴するスペースが、浴槽装置の設置にともなって狭くなってしまうことを抑制することができる。例えば、設置スペースの省スペース化を図りつつ、第１吐水部及び第２吐水部のそれぞれから同時に吐水を行う場合などにも、第１吐水部及び第２吐水部のそれぞれにおいて十分な吐水流量を得ることができる。
【００１２】
第２の発明は、第１の発明において、前記バイパス流路を通過する湯水の圧力損失が、前記第１流路における前記バイパス流路との合流位置より上流側の前記第１流路を通過する湯水の圧力損失よりも大きくなるように、前記第１流路及び前記バイパス流路が構成されたことを特徴とする浴槽装置である。
【００１３】
この浴槽装置によれば、バイパス流路を通過する湯水の圧力損失が、第１流路におけるバイパス流路との合流位置より上流側の第１流路を通過する湯水の圧力損失よりも大きくなるように、第１流路及びバイパス流路が構成されていることにより、第１吸入口及び第２吸入口が詰まっていない通常時においては、第１流路の経路上に設けられたポンプへ向かう湯水は、バイパス流路よりも圧力損失の小さい第１流路におけるバイパス流路との合流位置より上流側の第１流路の方から多く吸引される。そのため、第１吸入口及び第２吸入口が詰まっていない状態において、第１吸入口より第２吸入口の方から第１流路の経路上に設けられたポンプへ湯水の量が多く供給される状況を、作り出すことを抑制することができる。従って、第１吸入口及び第２吸入口が詰まっていない通常時においては、第２吸入口から吸引された湯水は、ジェットポンプユニットへ供給され、第２吐水部から安定して吐水することができる。
【００１４】
第３の発明は、第２の発明において、前記バイパス流路の最小の流路断面積は、前記第１流路における前記バイパス流路との合流位置より上流側の前記第１流路の最小の流路断面積よりも小さいことを特徴とする浴槽装置である。
【００１５】
この浴槽装置によれば、簡単な構成で確実にバイパス流路側の圧力損失を第１流路側の圧力損失よりも大きくすることができる。
【００１６】
第４の発明は、第１〜第３のいずれか１つの発明において、前記バイパス流路を通過する湯水の圧力損失が、前記第２流路における前記バイパス流路との合流位置より上流側の前記第２流路を通過する湯水の圧力損失よりも大きくなるように、前記第２流路及び前記バイパス流路が構成されたことを特徴とする浴槽装置である。
【００１７】
この浴槽装置によれば、バイパス流路を通過する湯水の圧力損失が、第２流路におけるバイパス流路との合流位置より上流側の第２流路を通過する湯水の圧力損失よりも大きくなるように、第２流路及びバイパス流路が構成されていることにより、第１吸入口及び第２吸入口が詰まっていない通常時においては、第２吸入口から吸引された湯水は、ポンプにより、バイパス流路側へ吸引されたとしても、バイパス流路にて圧力損失が大きくなることにより、第２吸入口から吸引された湯水の少なくとも一部が、バイパス流路側へ供給されることを抑制することができる。そのため、第１流路の経路上に設けられたポンプの吸引によって第２吸入口から第２流路におけるバイパス流路との合流位置より上流側を通過する湯水の内、バイパス流路に流入しない湯水に対して、ジェットポンプユニットのジェット作用により、ジェットポンプユニットへ確実に供給させることができる。従って、第１吸入口及び第２吸入口が詰まっていない通常時においては、第２吸入口から吸引された湯水は、ジェットポンプユニットへ供給され、第２吐水部から安定して吐水することができる。
【００１８】
第５の発明は、第４の発明において、前記バイパス流路の最小の流路断面積は、前記第２流路における前記バイパス流路との合流位置より上流側の前記第２流路の最小の流路断面積よりも小さいことを特徴とする浴槽装置である。
【００１９】
この浴槽装置によれば、簡単な構成で確実にバイパス流路側の圧力損失を第２流路側の圧力損失よりも大きくすることができる。
【００２０】
第６の発明は、湯水を貯留する浴槽に設けられる浴槽装置であって、前記浴槽内に湯水を吐水するための第１及び第２吐水部と、前記浴槽に設けられた第１吸入口から前記第１吐水部に湯水を供給するための第１流路と、前記浴槽に設けられた第２吸入口から前記第２吐水部に湯水を供給するための第２流路と、前記第１流路の経路上に設けられ、前記浴槽内の湯水を前記第１吸入口から吸引し、下流側に供給する第１ポンプと、前記第２流路の経路上に設けられ、前記浴槽内の湯水を前記第２吸入口から吸引し、下流側に供給する第２ポンプと、前記第１ポンプよりも上流側の前記第１流路と、前記第２ポンプよりも上流側の前記第２流路と、を接続し、前記第１吸入口が詰まった場合に、前記第１吸入口から前記第１ポンプに供給される湯水の量よりも、前記第２吸入口から前記第１ポンプに供給される湯水の量の方が多くなり、前記第２吸入口が詰まった場合に、前記第２吸入口から前記第２ポンプに供給される湯水の量よりも、前記第１吸入口から前記第２ポンプに供給される湯水の量の方が多くなるように、前記第１流路と前記第２流路とを常時連通させるバイパス流路と、を備えたことを特徴とする浴槽装置である。
【００２１】
この浴槽装置によれば、第１吸入口に髪の毛やゴミなどの異物が詰まることで、第１吸入口からの吸入流量が減少したとしても、バイパス流路を介して第２流路から第１流路に湯水を供給することができる。同様に、第２吸入口が詰まった場合には、バイパス流路を介して第１流路から第２流路に湯水を供給することができる。従って、第１吸入口又は第２吸入口が詰まった場合にも、第１流路又は第２流路内の負圧が増大することを抑制し、第１吸入口又は第２吸入口に詰まった異物を取り外し易くすることができる。さらには、第１吸入口又は第２吸入口が詰まった場合においても、ポンプを停止させることなく、第１吐水部及び第２吐水部の少なくとも一方からの吐水を継続することができる。このように、第１吸入口又は第２吸入口が詰まった場合でも、吐水が停止することなく、かつ第１吸入口又は第２吸入口の詰まりを容易に解消できる使い勝手の良い浴槽装置を提供することができる。また、負圧を検知するための負圧検知手段などを設ける必要がなく、装置自体をコンパクトできるとともに、安価な構成とすることもできる。
【００２２】
第７の発明は、第１〜第６のいずれか１つの発明において、前記第２吸入口は、前記第１吸入口に対して水平方向にずれた位置に設けられていることを特徴とする浴槽装置である。
【００２３】
この浴槽装置によれば、第１吸入口と第２吸入口とを水平方向にずらすことにより、例えば、入浴者の髪が長い場合などに、重力によって垂れ下がった髪で第１吸入口と第２吸入口とが同時に塞がれてしまうことを抑制することができる。
【００２４】
第８の発明は、第７の発明において、前記浴槽の内壁面は、入浴者の背中を支持する背もたれ面を有し、前記第１吸入口及び前記第２吸入口の一方は、前記浴槽の前記背もたれ面を基準とした前後方向の中央よりも後方側に設けられ、前記第１吸入口及び前記第２吸入口の他方は、前記浴槽の前記背もたれ面を基準とした前後方向の中央よりも前方側に設けられたことを特徴とする浴槽装置である。
【００２５】
この浴槽装置によれば、第１吸入口及び第２吸入口の一方は、背もたれ面に背中を当接させた入浴者の頭部側に配置され、第１吸入口及び第２吸入口の他方は、背もたれ面に背中を当接させた入浴者の脚部側に配置される。これにより、第１吸入口及び第２吸入口が、入浴者の髪などで同時に塞がれてしまうことを、より確実に抑制することができる。
【発明の効果】
【００２６】
本発明の態様によれば、吸入口が詰まった場合でも、吐水が停止することなく、かつ吸入口の詰まりを容易に解消できる使い勝手の良い浴槽装置が提供される。
【図面の簡単な説明】
【００２７】
【図１】実施形態に係る浴槽及び浴槽装置を模式的に表す斜視図である。
【図２】実施形態に係る浴槽及び浴槽装置を模式的に表す平面図である。
【図３】実施形態に係る浴槽及び浴槽装置を模式的に表すブロック図である。
【図４】実施形態に係る浴槽装置の一部を模式的に表すブロック図である。
【図５】実施形態に係る第１吸入部を模式的に表す斜視図である。
【図６】実施形態に係る浴槽装置の変形例を模式的に表すブロック図である。
【発明を実施するための形態】
【００２８】
以下、実施形態について図面を参照しつつ説明する。なお、各図面中、同様の構成要素には同一の符号を付して詳細な説明は適宜省略する。  
図１は、実施形態に係る浴槽及び浴槽装置を模式的に表す斜視図である。  
図２は、実施形態に係る浴槽及び浴槽装置を模式的に表す平面図である。  
図１及び図２に表したように、浴槽装置１０は、湯水を貯留する浴槽１００に設けられる。浴槽装置１０は、浴槽１００に取り付けた状態で使用される。
【００２９】
浴槽１００は、浴槽本体１０２を備える。浴槽本体１０２は、内壁面１０４を有する。内壁面１０４は、入浴者の背中を支持する背もたれ面１０６を有する。ここで、本願明細書においては、背もたれ面１０６に背中を当接させた入浴者からみて上方を「上方」とし、下方を「下方」とし、前方を「前方」とし、後方を「後方」とし、右側を「右側方」とし、左側を「左側方」とする。
【００３０】
図３は、実施形態に係る浴槽及び浴槽装置を模式的に表すブロック図である。  
図４は、実施形態に係る浴槽装置の一部を模式的に表すブロック図である。  
図１〜図４に表したように、浴槽装置１０は、第１吐水部１１と、第２吐水部１２と、ポンプ１４と、分岐路１６と、ジェットポンプユニット１８と、第１流路２１と、第２流路２２と、バイパス流路２４と、を備える。浴槽装置１０において、例えば、ポンプ１４、分岐路１６、ジェットポンプユニット１８、第１流路２１、第２流路２２、及びバイパス流路２４などの各部は、浴槽本体１０２の裏側のスペース（浴槽本体１０２と浴室の壁面との間のスペース）に設けられる。
【００３１】
第１吐水部１１及び第２吐水部１２は、浴槽本体１０２内に湯水を吐水する。第１吐水部１１及び第２吐水部１２には、浴槽本体１０２内に溜められた湯水が供給される。第１吐水部１１及び第２吐水部１２は、供給された湯水を浴槽本体１０２内に吐水する。これにより、第１吐水部１１及び第２吐水部１２は、浴槽本体１０２内に溜められた湯水を循環させる。
【００３２】
第１吐水部１１は、供給された湯水を吐水する第１吐水口１１ａを有する。第１吐水部１１は、背もたれ面１０６に設けられている。第１吐水部１１は、例えば、背もたれ面１０６の部分において浴槽本体１０２を貫通するように取り付けられる。これにより、第１吐水部１１は、浴槽本体１０２の内方（前方）に向けて湯水を吐水する。
【００３３】
第１吐水部１１は、例えば、背もたれ面１０６に背中を当接させた入浴者の腰などに向けて湯水を噴射する。第１吐水部１１は、例えば、入浴者の抗重力筋である脊柱起立筋の位置を狙って湯水を噴射する。これにより、入浴者の腰などに刺激を与え、入浴時のリラクゼーション効果をより高めることができる。
【００３４】
浴槽装置１０は、２つの第１吐水部１１を有する。２つの第１吐水部１１は、背もたれ面１０６に左右に並べて設けられている。第１吐水部１１の数は、２つに限ることなく、１つでもよいし、３つ以上でもよい。
【００３５】
第２吐水部１２は、背もたれ面１０６に連なる上端（リム面）の上に設けられる。第２吐水部１２は、例えば、第１吐水部１１よりも上方に設けられる。第２吐水部１２は、浴槽本体１０２の内方に向けて湯水を吐水する。すなわち、第２吐水部１２は、前方に向けて湯水を吐水する。第２吐水部１２は、例えば、背もたれ面１０６に背中を当接させた入浴者の首や肩に向けて湯水を吐水する。これにより、例えば、入浴者の首や肩をより温めたり、入浴者の首や肩にマッサージ効果を付与したりすることができ、入浴時のリラクゼーション効果をより高めることができる。
【００３６】
第２吐水部１２は、左右方向に延びたスリット状の第２吐水口１２ａを有する。これにより、第２吐水部１２は、左右方向に延びた帯状の水流を第２吐水口１２ａから吐水する。第２吐水口１２ａの左右方向の長さは、例えば、２０ｃｍ以上である。第２吐水口１２ａの左右方向の長さは、例えば、人間の首の平均的な幅よりも長い。これにより、背もたれ面１０６に背中を当接させた入浴者の首や肩に適切に湯水を当てることができる。また、第２吐水口１２ａの左右方向の長さは、例えば、浴槽本体１０２の内部の空間の左右方向の幅よりも短い。これにより、浴槽本体１０２内に適切に湯水を吐水することができる。
【００３７】
浴槽装置１０は、例えば、複数の第２吐水部１２を有してもよい。例えば、入浴者の右肩に湯水を吐水する第２吐水部１２と、入浴者の左肩に湯水を吐水する第２吐水部１２と、を有してもよい。
【００３８】
また、第２吐水部１２は、光源部１２ｂを有する。光源部１２ｂは、前方に向けて光を照射する。これにより、浴槽１００の外観をより向上させることができる。光源部１２ｂは、必要に応じて設けられ、省略可能である。
【００３９】
上記とは反対に、第１吐水部１１から入浴者の肩などに向けて湯水を吐水し、第２吐水部１２から入浴者の腰などに向けて湯水を吐水してもよい。また、第１吐水部１１及び第２吐水部１２は、上記に限ることなく、例えば、浴槽本体１０２の底面部分に設けられ、入浴者の脚に向けて湯水を吐水する吐水部などでもよい。第１吐水部１１及び第２吐水部１２は、浴槽本体１０２の内方に向けて湯水を吐水する任意の吐水部でよい。
【００４０】
浴槽装置１０は、例えば、第１吸入部３１と、第２吸入部３２と、をさらに備える（図１参照）。浴槽本体１０２には、貫通孔状の取付孔が設けられ、第１吸入部３１及び第２吸入部３２は、この取付孔に取り付けられることにより、浴槽本体１０２を貫通するように浴槽本体１０２に取り付けられる。
【００４１】
第１吸入部３１は、浴槽本体１０２に溜められた湯水を吸引するための第１吸入口３１ａを有する。第２吸入部３２は、浴槽本体１０２に溜められた湯水を吸引するための第２吸入口３２ａを有する。
【００４２】
第１吸入部３１及び第２吸入部３２は、浴槽本体１０２の内壁面１０４のうちの左側面に設けられている。このように、第１吸入部３１及び第２吸入部３２は、浴槽本体１０２において第１吐水部１１及び第２吐水部１２と異なる面に設けられる。第１吸入口３１ａ及び第２吸入口３２ａは、第１吐水部１１及び第２吐水部１２と異なる面に設けられる。換言すれば、第１吸入口３１ａ及び第２吸入口３２ａは、第１吐水口１１ａ及び第２吐水口１２ａと異なる方向を向いて設けられる。これにより、背もたれ面１０６に背中を当接させた入浴者の髪などで、第１吸入口３１ａ及び第２吸入口３２ａが塞がれてしまうことを抑制することができる。
【００４３】
第１吸入部３１及び第２吸入部３２は、左側面に限ることなく、内壁面１０４の右側面に設けてもよいし、背もたれ面１０６と対向する前面に設けてもよいし、底面に設けてもよい。
【００４４】
第２吸入部３２は、第１吸入部３１に対して水平方向にずれた位置に設けられている。すなわち、第２吸入口３２ａは、第１吸入口３１ａに対して水平方向にずれた位置に設けられている。この例において、第２吸入口３２ａは、第１吸入口３１ａに対して前後方向にずれている。例えば、第１吸入部３１及び第２吸入部３２を前面や底面などに設けた場合には、第２吸入口３２ａを第１吸入口３１ａに対して左右方向にずれた位置に設けてもよい。
【００４５】
また、第１吸入口３１ａ及び第２吸入口３２ａの一方は、前後方向の中央ＣＬよりも後方側に設けられている。第１吸入口３１ａ及び第２吸入口３２ａの他方は、前後方向の中央ＣＬよりも前方側に設けられている。この例では、第１吸入口３１ａが中央ＣＬよりも後方側に設けられ、第２吸入口３２ａが中央ＣＬよりも前方側に設けられている。これとは反対に、第１吸入口３１ａを中央ＣＬよりも前方側に設け、第２吸入口３２ａを中央ＣＬよりも後方側に設けてもよい。
【００４６】
なお、この例では、第１吸入部３１及び第２吸入部３２を浴槽装置１０に設けているが、第１吸入部３１及び第２吸入部３２は、浴槽本体１０２自体に取り付けられた構成としてもよい。
【００４７】
第１流路２１は、浴槽本体１０２に設けられた第１吸入口３１ａから第１吐水部１１に湯水を供給するための流路である。第２流路２２は、浴槽本体１０２に設けられた第２吸入口３２ａから第２吐水部１２に湯水を供給するための流路である。第１流路２１及び第２流路２２は、例えば、複数の配管や流体機械などによって構成される。流体機械とは、例えば、ポンプやバルブなど、内部に湯水を通すことが可能な任意の機器である。
【００４８】
第１流路２１は、例えば、第１給水管３３を有する。第１給水管３３の一端は、第１吸入部３１を介して第１吸入口３１ａに接続されている。第１給水管３３の他端は、ポンプ１４に接続されている。これにより、第１吸入口３１ａから吸引された湯水は、第１給水管３３を介してポンプ１４に供給される。
【００４９】
第２流路２２は、例えば、第２給水管３４を有する。第２給水管３４の一端は、第２吸入部３２を介して第２吸入口３２ａに接続されている。第２給水管３４の他端は、ジェットポンプユニット１８に接続されている。これにより、第２吸入口３２ａから吸引された湯水は、第２給水管３４を介してジェットポンプユニット１８に供給される。
【００５０】
ポンプ１４は、第１流路２１の経路上に設けられている。ポンプ１４は、浴槽本体１０２内の湯水を第１吸入口３１ａから吸引し、下流側に供給する。ポンプ１４の入力ポートは、第１給水管３３に接続されている。ポンプ１４は、第１給水管３３を介して第１吸入口３１ａから湯水を吸引する。ポンプ１４は、例えば、電動ポンプである。ポンプ１４は、例えば、電気的に駆動される電動モータ（図示せず）に直結されたインペラ（図示せず）の回転により、浴槽本体１０２内の湯水を吸引し、吸引した湯水を下流側に圧送する。
【００５１】
浴槽装置１０は、例えば、配管４０と、切替弁４２と、配管４４と、をさらに有する。配管４０の一端は、ポンプ１４の出力ポートに接続されている。配管４０の他端は、切替弁４２の入力ポートに接続されている。切替弁４２は、１つの入力ポートと、２つの出力ポートと、を有する。切替弁４２は、入力ポートから供給された湯水を、一方の出力ポートのみに流す状態と、他方の出力ポートのみに流す状態と、２つの出力ポートのそれぞれに流す状態と、を選択的に切り替える。なお、切替弁４２は、例えば、流路の切替機能を有しない二又管などに置き換えてもよい。
【００５２】
配管４４の一端は、切替弁４２の一方の出力ポートに接続されている。配管４４の他端は、第１吐水部１１に接続されている。配管４４の他端は、二又に分岐しており、２つの第１吐水部１１のそれぞれと接続される。これにより、ポンプ１４の駆動に応じて第１吸入口３１ａから吸引された湯水が、第１吸入部３１、第１給水管３３、ポンプ１４、配管４０、切替弁４２、及び配管４４を介して各第１吐水部１１に供給される。すなわち、この例においては、第１吸入部３１、第１給水管３３、ポンプ１４、配管４０、切替弁４２、及び配管４４によって、第１流路２１が形成される。第１流路２１の構成は、上記に限ることなく、第１吐水部１１に湯水を供給可能な任意の構成でよい。
【００５３】
分岐路１６は、第１吐水部１１とポンプ１４との間において第１流路２１から分岐する。分岐路１６の一端は、切替弁４２の他方の出力ポートに接続されている。分岐路１６の他端は、ジェットポンプユニット１８に接続されている。切替弁４２は、換言すれば、第１流路２１と分岐路１６との分岐部に設けられる。切替弁４２は、換言すれば、ポンプ１４から供給された湯水を、第１吐水部１１のみに供給する経路と、第２吐水部１２のみに供給する経路と、第１吐水部１１及び第２吐水部１２の双方に供給する経路と、を選択的に切り替える。
【００５４】
ジェットポンプユニット１８は、第２流路２２の経路上に設けられるとともに、分岐路１６を介してポンプ１４と接続されている。この例において、ジェットポンプユニット１８は、第２吐水部１２と切替弁４２との間に設けられる。ジェットポンプユニット１８は、例えば、第２吐水部１２の直下に設けられる。
【００５５】
ジェットポンプユニット１８は、貯水部５０と、吸引管５２と、噴射部５４と、を有する。貯水部５０は、容器状であり、内部の空間に湯水を貯水可能とする。貯水部５０は、第２給水管３４の他端と接続されている。これにより、貯水部５０は、第２吸入口３２ａから供給された湯水を内部に貯水する。また、貯水部５０は、分岐路１６を介して切替弁４２と接続されている。分岐路１６は、例えば、貯水部５０の下部に接続される。
【００５６】
吸引管５２は、貯水部５０に貯水された湯水を吸引するための管路である。吸引管５２は、例えば、分岐路１６と対向して貯水部５０の上部に接続される。吸引管５２は、貯水部５０から上方に向かって延び、第２吐水部１２と接続される。これにより、この例では、第２吸入部３２、第２給水管３４、貯水部５０、及び吸引管５２によって、第２流路２２が形成される。第２流路２２の構成は、上記に限ることなく、第２吐水部１２に湯水を供給可能な任意の構成でよい。
【００５７】
噴射部５４は、貯水部５０と分岐路１６との接続部に設けられる。噴射部５４は、貯水部５０に貯水された湯水がジェットポンプ作用によって吸引管５２に吸引されるように、切替弁４２及び分岐路１６を介してポンプ１４から供給された湯水を吸引管５２内に噴射する。これにより、ポンプ１４から供給された湯水が第２吐水部１２に供給されるとともに、第２吸入口３２ａから供給され貯水部５０内に貯水された湯水が、ジェットポンプ作用によって吸引管５２内に引き込まれ、貯水部５０内に貯水された湯水も第２吐水部１２に供給される。これにより、ポンプ１４を比較的小型にした場合にも大流量の湯水を第２吐水部１２に供給することができる。例えば、ポンプ１４からの供給流量以上の流量の湯水を第２吐水部１２に供給することができる。
【００５８】
浴槽装置１０は、例えば、制御部６０と、操作部６２と、をさらに備える。制御部６０は、ポンプ１４、切替弁４２、及び操作部６２と接続されている。操作部６２は、例えば、浴槽本体１０２や浴室の壁面などに取り付けて使用される。操作部６２は、スイッチやセンサなどを有し、入浴者などの操作に応じて、制御部６０に種々の操作指示を入力可能である。操作部６２は、いわゆるリモコンである。制御部６０と操作部６２との間の電気的な通信は、有線でもよいし、無線を介して行ってもよい。
【００５９】
制御部６０は、操作部６２から入力された操作指示に応じて、ポンプ１４及び切替弁４２の動作を制御する。制御部６０は、第１吐水部１１からの湯水の吐水を操作部６２から指示された場合、ポンプ１４の駆動を開始し、切替弁４２を第１吐水部１１側に切り替えることにより、第１吐水部１１から湯水を吐水させる。
【００６０】
制御部６０は、第２吐水部１２からの湯水の噴射を操作部６２から指示された場合、ポンプ１４の駆動を開始し、切替弁４２を第２吐水部１２側に切り替えることにより、第２吐水部１２から湯水を噴射させる。
【００６１】
また、制御部６０は、第１吐水部１１及び第２吐水部１２からの同時吐水を操作部６２から指示された場合、ポンプ１４の駆動を開始し、切替弁４２を第１吐水部１１及び第２吐水部１２の双方と連通する状態にすることにより、第１吐水部１１から湯水を吐水させるとともに、第２吐水部１２から湯水を噴射させる。
【００６２】
そして、制御部６０は、第１吐水部１１からの湯水の吐水の停止、又は第２吐水部１２からの湯水の噴射の停止を指示された場合に、ポンプ１４の駆動を停止させる。また、制御部６０は、例えば、操作部６２から入力された操作指示に応じて、ポンプ１４の出力（駆動力）を変化させる。制御部６０は、例えば、ポンプ１４の回転数を変化させる。これにより、第１吐水部１１及び第２吐水部１２から吐水される湯水の流量を変化させることができる。例えば、流量の少ない「弱運転」、弱運転よりも流量の多い「強運転」、弱運転と強運転との間の流量の「中運転」などのように運転モードを切り替えることができる。
【００６３】
このように、浴槽装置１０では、ポンプ１４を駆動し、切替弁４２の経路を切り替えることにより、第１吐水部１１のみから湯水を吐水する状態と、第２吐水部１２のみから湯水を吐水する状態と、第１吐水部１１及び第２吐水部１２の双方から同時に湯水を吐水する状態と、を切り替えることができる。また、制御部６０は、光源部１２ｂと接続されている。制御部６０は、操作部６２から入力された操作指示に応じて、光源部１２ｂの点灯及び消灯を切り替える。
【００６４】
例えば、切替弁４２を手動式とし、第１吐水部１１のみから湯水を吐水する状態と、第２吐水部１２のみから湯水を吐水する状態と、第１吐水部１１及び第２吐水部１２の双方から同時に湯水を吐水する状態と、を手動操作によって切り替えられるようにしてもよい。また、切替弁４２を二又管などに置き換え、ポンプ１４の駆動によって常に第１吐水部１１及び第２吐水部１２の双方から同時に湯水が吐水されるようにしてもよい。また、切替弁４２は、必ずしも同時吐水を可能にするものに限ることなく、第１吐水部１１及び第２吐水部１２の一方のみから選択的に湯水を吐水させるものでもよい。
【００６５】
図４に表したように、バイパス流路２４は、ポンプ１４よりも上流側の第１流路２１と、ジェットポンプユニット１８よりも上流側の第２流路２２と、を接続する。バイパス流路２４は、例えば、第１給水管３３と第２給水管３４とを接続する。これにより、バイパス流路２４は、第１吸入口３１ａが詰まった異常状態では、換言すると、第１流路２１におけるバイパス流路２４との合流位置より上流側の第１流路２１の圧力損失が、バイパス流路２４よりも大きくなった場合に、第１吸入口３１ａからポンプ１４に供給される湯水の量よりも、第２吸入口３２ａからポンプ１４に供給される湯水の量の方が多くなるように、第１流路２１と第２流路２２とを常時連通させる。バイパス流路２４は、例えば、第１給水管３３と第２給水管３４とを連通させる。逆にいえば、第１吸入口３１ａが詰まっていない通常状態では、換言すると、第１流路２１におけるバイパス流路２４との合流位置より上流側の第１流路２１の圧力損失がバイパス流路２４の圧力損失より小さい場合においては、ポンプ１４に供給される湯水の量は、第１吸入口３１ａ＞第２吸入口３２ａの関係となる。
【００６６】
第１流路２１及びバイパス流路２４は、バイパス流路２４を通過する湯水の圧力損失が、第１流路２１におけるバイパス流路２４との合流位置より上流側の第１流路２１を通過する湯水の圧力損失よりも大きくなるように、構成されている。第２流路２２及びバイパス流路２４は、バイパス流路２４を通過する湯水の圧力損失が、第２流路２２におけるバイパス流路２４との合流位置より上流側の第２流路２２を通過する湯水の圧力損失よりも大きくなるように、構成されている。バイパス流路２４は、例えば、第１流路２１におけるバイパス流路２４との合流位置より上流側の第１流路２１及び第２流路におけるバイパス流路２４との合流位置より上流側の第２流路よりも圧力損失が大きくなるような圧力損失調整手段を有している。
【００６７】
また、第２吸入口３２ａからバイパス流路２４に流入する湯水の圧力損失は、第２吸入口３２ａからバイパス流路２４とジェットポンプユニット１８との間の部分２２ａの第２流路２２に流入する湯水の圧力損失よりも大きい。第２流路２２の部分２２ａは、換言すれば、第２給水管３４のバイパス流路２４とジェットポンプユニット１８との間の部分である。
【００６８】
同様に、第１吸入口３１ａからバイパス流路２４に流入する湯水の圧力損失は、第１吸入口３１ａからバイパス流路２４とポンプ１４との間の部分２１ａの第１流路２１に流入する湯水の圧力損失よりも大きい。第１流路２１の部分２１ａは、換言すれば、第１給水管３３のバイパス流路２４とポンプ１４との間の部分である。
【００６９】
バイパス流路２４の最小の流路断面積ｄ３は、第２流路２２におけるバイパス流路２４との合流位置より上流側の第２流路２２の最小の流路断面積ｄ２よりも小さい。バイパス流路２４の最小の流路断面積ｄ３は、例えば、第２吸入口３２ａとジェットポンプユニット１８との間の第２流路２２の最小の流路断面積よりも小さい。すなわち、流路断面積ｄ２、ｄ３は、ｄ２＞ｄ３の関係にある。これにより、上記のように、バイパス流路２４より上流側の第２流路２２の圧力損失をバイパス流路２４の圧力損失より、小さくすることができる。
【００７０】
バイパス流路２４の最小の流路断面積ｄ３を小さくし過ぎると、バイパス流路２４に湯水が流れ難くなってしまう。反対に、バイパス流路２４の最小の流路断面積ｄ３を大きくし過ぎると、ジェットポンプユニット１８に湯水が流れ難くなってしまう。従って、バイパス流路２４の最小の流路断面積ｄ３は、第２流路２２の最小の流路断面積ｄ２の２９％以上１００％未満であることが好ましい。
【００７１】
バイパス流路２４の最小の流路断面積ｄ３は、第１流路２１におけるバイパス流路２４との合流位置より上流側の第１流路２１の最小の流路断面積ｄ１よりも小さい。バイパス流路２４の最小の流路断面積ｄ３は、例えば、第１吸入口３１ａとポンプ１４との間の第１流路２１の最小の流路断面積よりも小さい。すなわち、流路断面積ｄ１、ｄ３は、ｄ１＞ｄ３の関係にある。これにより、上記のように、バイパス流路２４より上流側の第１流路２１の圧力損失をバイパス流路２４の圧力損失より小さくすることができる。なお、バイパス流路２４の最小の流路断面積ｄ３は、第１流路２１の最小の流路断面積ｄ１の２９％以上１００％未満であることが好ましい。
【００７２】
第２流路２２の流路断面積ｄ２は、例えば、第１流路２１の流路断面積ｄ１と同程度に設定される。あるいは、第２流路２２の流路断面積ｄ２は、第１流路２１の流路断面積ｄ１よりも大きい。すなわち、流路断面積ｄ１、ｄ２は、ｄ１≦ｄ２の関係に設定される。
【００７３】
第１流路２１と第２流路２２とバイパス流路２４との圧力損失の関係は、流路断面積に限ることなく、例えば、第１流路２１、第２流路２２、及びバイパス流路２４の形状などによって設定してもよい。例えば、第１流路２１及び第２流路２２をなるべく直線状の管路とし、バイパス流路２４を屈曲した形状の管路とする。あるいは、バイパス流路２４の一部の流路断面積を第１流路２１の最小の流路断面積ｄ１や第２流路２２の最小の流路断面積ｄ２より小さく設定してもよい。このように第１流路２１、第２流路２２、及びバイパス流路２４の形状を工夫した場合にも、上記のように、バイパス流路２４より上流側の第１流路２１の圧力損失をバイパス流路２４の圧力損失より小さくすることができる。バイパス流路２４より上流側の第２流路２２の圧力損失をバイパス流路２４の圧力損失より小さくすることができる。
【００７４】
図５は、実施形態に係る第１吸入部を模式的に表す斜視図である。  
図５に表したように、第１吸入部３１は、第１吸入口３１ａを覆うカバー３５を有する。カバー３５は、例えば、側面部３５ａと、前面部３５ｂと、を有する。側面部３５ａは、浴槽本体１０２の内壁面１０４に対して垂直な方向に延び、第１吸入口３１ａを囲む。前面部３５ｂは、側面部３５ａの内壁面１０４と反対側の端部に設けられ、第１吸入口３１ａと対向し、側面部３５ａとともに第１吸入口３１ａを覆う。
【００７５】
また、カバー３５は、湯水を挿通するための複数の貫通孔３５ｃを有する。複数の貫通孔３５ｃは、前面部３５ｂに設けられるとともに、側面部３５ａにも設けられる。
【００７６】
カバー３５は、第１吸入口３１ａを有する第１吸入部３１の本体部、又は浴槽本体１０２に着脱可能に取り付けられる。カバー３５は、ネジ３５ｄによって、第１吸入部３１の本体部、又は浴槽本体１０２に着脱可能に取り付けられる。ネジ３５ｄは、複数設けられる。カバー３５は、複数のネジ３５ｄによってネジ止めされる。この例では、３つのネジ３５ｄを示している。ネジ３５ｄの数は、３つに限ることなく、１つ又は２つでもよいし、４つ以上でもよい。
【００７７】
カバー３５の取付方法は、必ずしもネジ３５ｄに限るものではない。カバー３５は、例えば、係合などを利用して取り付けてもよい。あるいは、カバー３５の自体の内周面に雌ネジを形成するとともに、本体部の外周面に雄ネジを形成し、これらのネジの螺合によって取り付けてもよい。カバー３５の取付方法は、カバー３５を着脱可能に取り付け可能な任意の方法でよい。
【００７８】
第２吸入部３２の構成は、第１吸入部３１の構成と実質的に同じである。第２吸入部３２は、カバー３６を有する。カバー３６は、側面部３６ａと、前面部３６ｂと、複数の貫通孔３６ｃと、を有する。各貫通孔３６ｃは、側面部３６ａ及び前面部３６ｂのそれぞれに設けられる。カバー３６は、複数のネジ３６ｄによって着脱可能にネジ止めされる。
【００７９】
このように、第１吸入部３１及び第２吸入部３２にカバー３５、３６を設けることにより、髪の毛などの異物が第１吸入口３１ａ、第２吸入口３２ａから第１流路２１、第２流路２２の奥深くまで入り込んでしまうことを抑制することができる。従って、第１吸入口３１ａ、第２吸入口３２ａに異物などが詰まった場合にも、第１吸入口３１ａ、第２吸入口３２ａに詰まった異物などを取り除き易くすることができる。
【００８０】
また、側面部３５ａ、３６ａにも貫通孔３５ｃ、３６ｃを設けることにより、前面部３５ｂ、３６ｂのみに貫通孔３５ｃ、３６ｃが設けられている場合と比べて、第１吸入口３１ａ、第２吸入口３２ａに異物などが詰まってしまうこと自体を抑制することができる。例えば、入浴者の髪が長い場合に、第１吸入口３１ａ、第２吸入口３２ａが、入浴者の髪によって完全に塞がれてしまうことを抑制することができる。
【００８１】
さらには、カバー３５、３６を着脱可能にすることにより、例えば、清掃やメンテナンスをし易くすることができる。この際、カバー３５、３６をネジ３５ｄ、３６ｄでネジ止めすることにより、カバー３５、３６が不意に外れてしまうことを抑制することができる。従って、第１吸入口３１ａ、第２吸入口３２ａに異物などが詰まってしまうことを、より確実に抑制することができる。
【００８２】
以上、説明したように、本実施形態に係る浴槽装置１０では、第１吸入口３１ａに髪の毛やゴミなどの異物が詰まることで、第１流路２１におけるバイパス流路２４との合流位置より上流側の第１流路２１の圧力損失が増大し、第１吸入口３１ａからの吸入流量が減少したとしても、バイパス流路２４を介して第２流路２２から第１流路２１に湯水を供給することができる。また、第２吸入口３２ａが詰まった場合にも、分岐路１６を介して第１流路２１からジェットポンプユニット１８へ湯水が供給されることにより、貯水部５０内に貯水された湯水が、ジェットポンプ作用によって吸引管５２内に引き込まれ、バイパス流路２４を介して、新たに貯水部５０内に供給された湯水も第２吐水部１２に供給することができる。
【００８３】
従って、第１吸入口３１ａ又は第２吸入口３２ａが詰まった場合にも、第１流路２１又は第２流路２２内の負圧が増大することを抑制し、第１吸入口３１ａ又は第２吸入口３２ａに詰まった異物を取り外し易くすることができる。さらには、第１吸入口３１ａ又は第２吸入口３２ａが詰まった場合においても、ポンプ１４を停止させることなく、第１吐水部１１及び第２吐水部１２の少なくとも一方からの吐水を継続することができる。
【００８４】
このように、第１吸入口３１ａ又は第２吸入口３２ａが詰まった場合でも、吐水が停止することなく、かつ第１吸入口３１ａ又は第２吸入口３２ａの詰まりを容易に解消できる使い勝手の良い浴槽装置１０を提供することができる。また、負圧を検知するための負圧検知手段などを設ける必要がなく、装置自体をコンパクトできるとともに、安価な構成とすることもできる。
【００８５】
また、浴槽装置１０では、第２流路２２の経路上に、吐水流量を増幅させるためのジェットポンプユニット１８を設けている。これにより、第１流路２１及び第２流路２２のそれぞれの経路上にポンプ１４を設ける場合と比べて、浴槽装置１０の設置に必要となる浴槽裏のスペースを抑制することができる。換言すれば、入浴者が浴槽本体１０２内に入って入浴するスペースが、浴槽装置１０の設置にともなって狭くなってしまうことを抑制することができる。例えば、設置スペースの省スペース化を図りつつ、第１吐水部１１及び第２吐水部１２のそれぞれから同時に吐水を行う場合などにも、第１吐水部１１及び第２吐水部１２のそれぞれにおいて十分な吐水流量を得ることができる。
【００８６】
また、浴槽装置１０では、バイパス流路２４を通過する湯水の圧力損失が、第１流路２１におけるバイパス流路２４との合流位置より上流側の第１流路２１を通過する湯水の圧力損失よりも大きくなるように、第１流路２１及びバイパス流路２４が構成されていることにより、第１吸入口３１ａ及び第２吸入口３２ａが詰まっていない通常時においては、第１流路２１の経路上に設けられたポンプ１４へ向かう湯水は、バイパス流路２４よりも圧力損失の小さい第１流路２１におけるバイパス流路２４との合流位置より上流側の第１流路２１の方から多く吸引される。そのため、第１吸入口３１ａ及び第２吸入口３２ａが詰まっていない状態において、第１吸入口３１ａより第２吸入口３２ａの方から第１流路２１の経路上に設けられたポンプ１４へ湯水の量が多く供給される状況を、作り出すことを抑制することができる。従って、第１吸入口３１ａ及び第２吸入口３２ａが詰まっていない通常時においては、第２吸入口３２ａから吸引された湯水は、ジェットポンプユニット１８へ供給され、第２吐水部１２から安定して吐水することができる。
【００８７】
浴槽装置１０では、バイパス流路２４の最小の流路断面積ｄ３が、第２流路２１の最小の流路断面積ｄ１よりも小さい。これにより、簡単な構成で確実にバイパス流路２４側の圧力損失を第１流路２１側の圧力損失よりも大きくすることができる。
【００８８】
浴槽装置１０では、バイパス流路２４を通過する湯水の圧力損失が、第２流路２２におけるバイパス流路２４との合流位置より上流側の第２流路２２を通過する湯水の圧力損失よりも大きくなるように、第２流路２２及びバイパス流路２４が構成されていることにより、第１吸入口３１ａ及び第２吸入口３２ａが詰まっていない通常時においては、第２吸入口３２ａから吸引された湯水は、ポンプ１４により、バイパス流路２４側へ吸引されたとしても、バイパス流路２４にて圧力損失が大きくなることにより、第２吸入口３２ａから吸引された湯水の少なくとも一部が、バイパス流路２４側へ供給されることを抑制することができる。そのため、第１流路２１の経路上に設けられたポンプ１４の吸引によって第２吸入口３２ａから第２流路２２におけるバイパス流路２４との合流位置より上流側を通過する湯水の内、バイパス流路２４に流入しない湯水に対して、ジェットポンプユニット１８のジェット作用により、ジェットポンプユニット１８へ確実に供給させることができる。従って、第１吸入口３１ａ及び第２吸入口３２ａが詰まっていない通常時においては、第２吸入口３２ａから吸引された湯水は、ジェットポンプユニット１８へ供給され、第２吐水部１２から安定して吐水することができる。
【００８９】
浴槽装置１０では、バイパス流路２４の最小の流路断面積ｄ３が、第２流路２２の最小の流路断面積ｄ２よりも小さい。これにより、簡単な構成で確実にバイパス流路２４側の圧力損失を第２流路２２側の圧力損失よりも大きくすることができる。
【００９０】
浴槽装置１０では、第２吸入口３２ａが、第１吸入口３１ａに対して水平方向にずれた位置に設けられている。これにより、例えば、入浴者の髪が長い場合などに、重力によって垂れ下がった髪で第１吸入口３１ａと第２吸入口３２ａとが同時に塞がれてしまうことを抑制することができる。
【００９１】
浴槽装置１０では、第１吸入口３１ａ及び第２吸入口３２ａの一方が、前後方向の中央ＣＬよりも後方側に設けられ、第１吸入口３１ａ及び第２吸入口３２ａの他方が、前後方向の中央ＣＬよりも前方側に設けられている。これにより、第１吸入口３１ａ及び第２吸入口３２ａの一方が、背もたれ面１０６に背中を当接させた入浴者の頭部側に配置され、第１吸入口３１ａ及び第２吸入口３２ａの他方が、背もたれ面１０６に背中を当接させた入浴者の脚部側に配置される。これにより、第１吸入口３１ａ及び第２吸入口３２ａが、入浴者の髪などで同時に塞がれてしまうことを、より確実に抑制することができる。
【００９２】
この例では、第１吸入口３１ａが、後方側に設けられ、第２吸入口３２ａが、前方側に設けられている。この場合、例えば、第１吸入口３１ａとポンプ１４との間の距離を短くすることができる。換言すれば、第１給水管３３の長さを短くすることができる。従って、第１給水管３３による圧力損失を抑制することができる。
【００９３】
また、この例では、第２吐水部１２が、第１吐水部１１よりも上方に設けられている。この際、第１吸入口３１ａを後方側に設け、第２吸入口３２ａを前方側に設けることにより、第１吸入口３１ａと第１吐水部１１とを第１流路２１で接続し易くすることができるとともに、第２吸入口３２ａと第２吐水部１２とを第２流路２２で接続し易くすることができる。すなわち、第１流路２１及び第２流路２２を簡単な形状とすることができる。第１流路２１及び第２流路２２が複雑な配管形状となることを抑制し、浴槽装置１０の大型化を抑制することができる。浴槽本体１０２の裏側に、広いスペースが必要となってしまうことを抑制することができる。
【００９４】
一方、上記とは反対に、第１吸入口３１ａを前方側に設け、第２吸入口３２ａを後方側に設けた場合には、ポンプ１４と接続される第１吸入口３１ａを背もたれ面１０６から遠ざけ、第１吸入口３１ａが入浴者の髪などで塞がれてしまうことを、より確実に抑制することができる。
【００９５】
図６は、実施形態に係る浴槽装置の変形例を模式的に表すブロック図である。  
なお、上記実施形態と機能・構成上実質的に同じものについては、同符号を付し、詳細な説明は、省略する。また、図６では、図４と同様に、浴槽装置８０の要部のみを抽出して図示している。  
図６に表したように、浴槽装置８０は、第１ポンプ８１と、第２ポンプ８２と、を備える。第１ポンプ８１は、第１流路２１の経路上に設けられ、浴槽本体１０２内の湯水を第１吸入口３１ａから吸引し、下流側に供給する。第２ポンプ８２は、第２流路２２の経路上に設けられ、浴槽本体１０２内の湯水を第２吸入口３２ａから吸引し、下流側に供給する。第１ポンプ８１及び第２ポンプ８２には、例えば、上記実施形態で説明したポンプ１４と同じものが用いられる。
【００９６】
浴槽装置８０において、バイパス流路２４は、第１ポンプ８１よりも上流側の第１流路２１と、第２ポンプ８２よりも上流側の第２流路２２と、を接続する。これにより、バイパス流路２４は、第１吸入口３１ａが詰まった場合に、第１吸入口３１ａから第１ポンプ８１に供給される湯水の量よりも、第２吸入口３２ａから第１ポンプ８１に供給される湯水の量の方が多くなり、第２吸入口３２ａが詰まった場合に、第２吸入口３２ａから第２ポンプ８２に供給される湯水の量よりも、第１吸入口３１ａから第２ポンプ８２に供給される湯水の量の方が多くなるように、第１流路２１と第２流路２２とを常時連通させる。
【００９７】
第１吸入口３１ａ及び第２吸入口３２ａからバイパス流路２４に流入する湯水の圧力損失は、第１吸入口３１ａからバイパス流路２４と第１ポンプ８１との間の部分２１ｂの第１流路２１に流入する湯水の圧力損失、及び第２吸入口３２ａからバイパス流路２４と第２ポンプ８２との間の部分２２ｂの第２流路２２に流入する湯水の圧力損失よりも大きい。
【００９８】
バイパス流路２４の最小の流路断面積ｄ３は、第１流路２１と第１ポンプ８１との間の最小の流路断面積ｄ１、及び第２流路２２と第２ポンプ８２との間の最小の流路断面積ｄ２よりも小さい。
【００９９】
このように、ジェットポンプユニット１８に代えて、第１流路２１及び第２流路２２のそれぞれに第１ポンプ８１及び第２ポンプ８２を設けてもよい。この場合においても、バイパス流路２４を設けることにより、第１吸入口３１ａに髪の毛やゴミなどの異物が詰まることで、第１吸入口３１ａからの吸入流量が減少したとしても、バイパス流路２４を介して第２流路２２から第１流路２１に湯水を供給することができる。同様に、第２吸入口３２ａが詰まった場合には、バイパス流路２４を介して第１流路２１から第２流路２２に湯水を供給することができる。従って、第１吸入口３１ａ又は第２吸入口３２ａが詰まった場合にも、第１流路２１又は第２流路２２内の負圧が増大することを抑制し、第１吸入口３１ａ又は第２吸入口３２ａに詰まった異物を取り外し易くすることができる。
【０１００】
さらには、第１吸入口３１ａ又は第２吸入口３２ａが詰まった場合においても、第１ポンプ８１及び第２ポンプ８２を停止させることなく、第１吐水部１１及び第２吐水部１２の少なくとも一方からの吐水を継続することができる。このように、第１吸入口３１ａ又は第２吸入口３２ａが詰まった場合でも、吐水が停止することなく、かつ第１吸入口３１ａ又は第２吸入口３２ａの詰まりを容易に解消できる使い勝手の良い浴槽装置８０を提供することができる。また、負圧を検知するための負圧検知手段などを設ける必要がなく、装置自体をコンパクトできるとともに、安価な構成とすることもできる。
【０１０１】
また、浴槽装置８０では、例えば、第１ポンプ８１と、第２ポンプ８２との、吸込み性能に差があり、第１ポンプ８１の方が吸込み性能が強かった場合、第２吸入口３２ａから吸引された湯水の大部分が、バイパス流路２４を介して第１ポンプ８１へ向かう虞がある。
【０１０２】
この際に、バイパス流路２４が、第１流路２１におけるバイパス流路２４との合流位置より上流側の第１流路２１より、圧力損失が大きくなるように流路断面積が形成されている。そのため、第１ポンプ８１へ供給される湯水は、圧力損失の小さい第１吸入口３１ａ側から大部分を吸引する。そのため、第１ポンプ８１の吸引によって、第２吸入口３２ａ側からバイパス流路２４を介して、第１ポンプ８１側へ湯水を吸引することを抑制することに繋がる。
【０１０３】
従って、第１吸入口３１ａ及び第２吸入口３２ａが詰まっていない通常状態において、第１ポンプ８１の方が吸込み性能が強かったとしても、第２吸入口３２ａから吸引された湯水の大部分が、バイパス流路２４を介して第１ポンプ８１に吸引されることを抑制することができる。
【０１０４】
また、浴槽装置８０では、バイパス流路２４の最小の流路断面積ｄ３が、第１流路２１の最小の流路断面積ｄ１、及び第２流路２２の最小の流路断面積ｄ２よりも小さい。これにより、簡単な構成で確実にバイパス流路２４側の圧力損失を第１流路２１側の圧力損失及び第２流路２２側の圧力損失よりも大きくすることができる。
【０１０５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴槽装置１０、８０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０６】
１０、８０ 浴槽装置、  １１ 第１吐水部、  １２ 第２吐水部、  １４ ポンプ、  １６ 分岐路、  １８ ジェットポンプユニット、  ２１ 第１流路、  ２２ 第２流路、  ２４ バイパス流路、  ３１ 第１吸入部、  ３１ａ 第１吸入口、  ３２ 第２吸入部、  ３２ａ 第２吸入口、  ３３ 第１給水管、  ３４ 第２給水管、  ３５、３６ カバー、  ４０ 配管、  ４２ 切替弁、  ４４ 配管、  ５０ 貯水部、  ５２ 吸引管、  ５４ 噴射部、  ６０ 制御部、  ６２ 操作部、  ８１ 第１ポンプ、  ８２ 第２ポンプ、  １００ 浴槽、  １０２ 浴槽本体、  １０４ 内壁面、  １０６ 背もたれ面
【図１】
2019051131.tif 000003
【図２】
2019051131.tif 000004
【図３】
2019051131.tif 000005
【図４】
2019051131.tif 000006
【図５】
2019051131.tif 000007
【図６】
2019051131.tif 000008